(57)【要約】【課題】ボードの有無に関わらずいずれの仕様も構成することができる寝台装置を提供する。【解決手段】寝台装置１０は、長手方向に延びる第１のフレーム部材３６と、第１のフレーム部材３６における長手方向の少なくとも一方の端部に配置されて短手方向に延びる第２のフレーム部材３５を含む支持架台１２を備える。第２のフレーム部材３５が、ボードを固定できる支持部と、第１幕板３８を係止できる部分を備える。【選択図】図５
2018030010.tif 000002
【特許請求の範囲】
【請求項１】
長手方向に延びる第１のフレーム部材と、前記第１のフレーム部材における前記長手方向の少なくとも一方の端部に配置されて短手方向に延びる第２のフレーム部材を含む支持架台を備え、
前記第２のフレーム部材が、ボードを固定できる支持部と、第１幕板を係止できる部分を備える寝台装置。
【請求項２】
前記支持部が、前記第２のフレーム部材を貫く貫通孔であり、
前記第２のフレーム部材において前記第１幕板を係止できる部分が、前記第２のフレーム部材における前記長手方向の端部である請求項１に記載の寝台装置。
【請求項３】
前記第１幕板が、前記第２のフレーム部材の外側部を覆う請求項１または２に記載の寝台装置。
【請求項４】
前記第２のフレーム部材に対して前記ボードと前記第１幕板を取り換えることができる請求項１から３のいずれか１項に記載の寝台装置。
【発明の詳細な説明】
【技術分野】
【０００１】
本発明は、寝台装置に関する。
【背景技術】
【０００２】
従来、例えば使用者が寝台装置上に寝たり、寝台装置から起きたりするために使用する等されるボードが取り付けられた寝台装置が知られている。
この種の寝台装置として、例えば特許文献１に記載された装置がある。この寝台装置は、寝台と、寝台を支持する支持架台と、支持架台の長手方向の端部に取り付けられたボードと、を備えている。
【先行技術文献】
【特許文献】
【０００３】
【特許文献１】特開２０１５−８４８１６号公報
【発明の概要】
【発明が解決しようとする課題】
【０００４】
ところで、寝台装置には、例えば外観性の観点等から、前述のボードを備えていない構成が求められることがある。
しかしながら、前記特許文献１の寝台装置は、ボードを備える構成を前提としており、ボードを備えない構成に適用することができなかった。
【０００５】
本発明は、このような問題点に鑑みてなされたものであって、ボードの有無に関わらずいずれの仕様にも構成することができる寝台装置を提供することを目的とする。
【課題を解決するための手段】
【０００６】
本発明の一態様に係る寝台装置は、長手方向に延びる第１のフレーム部材と、前記第１のフレーム部材における前記長手方向の少なくとも一方の端部に配置されて短手方向に延びる第２のフレーム部材を含む支持架台を備える。前記第２のフレーム部材は、ボードを固定できる支持部と、第１幕板を係止できる部分を備える。
【発明の効果】
【０００７】
本発明の上記各態様に係る寝台装置によれば、ボードの有無に関わらずいずれの仕様にも構成することができる。
【図面の簡単な説明】
【０００８】
【図１】本発明の一実施形態に係る寝台装置の第１使用形態における斜視図である。
【図２】図１に示す寝台装置の側面図である。
【図３】図１に示す寝台装置の上面図である。
【図４】図１に示す寝台装置の下面図である。
【図５】図１に示す寝台装置の分解斜視図であって、ボトムを除去した状態を示す図である。
【図６】図１に示す寝台装置において脚上げ状態を示す斜視図である。
【図７】図６に示す寝台装置の側面図である。
【図８】図６に示す寝台装置における要部の拡大斜視図である。
【図９】図３中の切断線Ａ１−Ａ１で支持架台および第１幕板、角幕板を切断した部分断面図である。
【図１０】図２中の切断線Ａ２−Ａ２で幕板を切断した部分断面図である。
【図１１】本発明の一実施形態に係る寝台装置の第２使用形態における斜視図である。
【図１２】図１１中の切断線Ａ３−Ａ３での部分断面図である。
【発明を実施するための形態】
【０００９】
本発明の一実施形態に係る寝台装置１０を、図１から図１２に基づいて以下に説明する。寝台装置１０は、例えば、医療環境下（介護環境下を含む）や一般家庭下において利用することができる。図１から図１２において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向に対して直交する水平方向を左右方向と言う場合が有る。前後方向および左右方向は、いずれも水平方向に沿う方向である。
【００１０】
図１から図４に示すように、寝台装置１０は、寝台１１と、支持架台１２と、ボード１３と、駆動機構１４と、を備えている。寝台装置１０は、電力を動力源とするいわゆる電動ベッドである。
寝台１１は、平面視した場合に左右方向よりも前後方向に長い。寝台１１の長手方向は前後方向とされ、寝台１１の短手方向は左右方向となっている。寝台１１上には、図示しないマットレスが配置される。寝台１１には、前記マットレスを介して使用者が横たわる。
【００１１】
寝台１１は、背ボトム２１と、腰ボトム２２と、脚ボトム２３と、を備えている。これらの背ボトム２１、腰ボトム２２および脚ボトム２３は、頭側Ｈから足側Ｆに向けてこの順に並んでいる。背ボトム２１は、使用者の背を支える。腰ボトム２２は、使用者の腰を支える。脚ボトム２３は、使用者の脚を支える。
脚ボトム２３は、膝ボトム２４と、足ボトム２５と、を備えている。これらの膝ボトム２４および足ボトム２５は、頭側Ｈから足側Ｆに向けてこの順に並んでいる。膝ボトム２４は、使用者の膝から腰を支える。足ボトム２５は、使用者の膝から足先を支える。
【００１２】
支持架台１２は、寝台１１を支持する。支持架台１２は、寝台１１、および寝台１１上の使用者それぞれの荷重を受け止める。図５に示すように、支持架台１２は、メインフレーム３１と、接地部３２と、を備えている。
メインフレーム３１は、寝台１１を支持する。メインフレーム３１は、平面視において矩形状をなす。メインフレーム３１は、外フレーム部３３と、内フレーム部３４と、を備えている。
【００１３】
外フレーム部３３は、メインフレーム３１の外周縁部を形成し、支持架台１２の外周縁部に配置されている。外フレーム部３３は、平面視において頭側Ｈに向けて開口するＣ字状に形成されている。外フレーム部３３は、第１フレーム部材３５と、第２フレーム部材３６と、を備えている。
第１フレーム部材３５は、左右方向に延びる。第１フレーム部材３５は、支持架台１２の足側Ｆの端部に配置されている。
【００１４】
第２フレーム部材３６は、前後方向に延びている。第２フレーム部材３６は、左右方向に間隔をあけて一対設けられている。第２フレーム部材３６は、第１フレーム部材３５の左右方向の端部から、前後方向に沿う頭側Ｈに向けて延びている。第２フレーム部材３６は、第１フレーム部材３５に移動不能に固定されている。第１フレーム部材３５と第２フレーム部材３６とは、互いに接続されることで外フレーム部３３の角部を形成している。
第２フレーム部材３６は、第１フレーム部材３５に溶着（固着）されている。
【００１５】
外フレーム部３３には、幕板３７が固定されている。幕板３７は、外フレーム部３３を側方から覆っている。幕板３７は、第１幕板３８と、第２幕板３９と、角幕板４０と、を備えている。第１幕板３８は、第１フレーム部材３５を側方から覆う。第２幕板３９は、第２フレーム部材３６を側方から覆う。角幕板４０は、前記角部を覆う。
【００１６】
内フレーム部３４は、平面視において外フレーム部３３の内側に配置されている。内フレーム部３４は、横部材４１と、縦部材４２と、を備えている。横部材４１は、左右方向に延びる。横部材４１は、左右一対の第２フレーム部材３６を左右方向に連結している。
横部材４１は、前後一対配置されている。横部材４１は、第２フレーム部材３６に移動不能に固定されている。横部材４１は、第２フレーム部材３６に溶着（固着）されている。
【００１７】
縦部材４２は、前後方向に延びる。縦部材４２は、前後一対の横部材４１を前後方向に連結している。縦部材４２は、左右方向に一対配置されている。縦部材４２の頭側Ｈの端部は、第２フレーム部材３６の頭側Ｈの端部と前後方向に同等の位置に配置されている。
縦部材４２は、横部材４１に移動不能に固定されている。縦部材４２は、横部材４１に溶着（固着）されている。
接地部３２は、接地面に接地する。接地部３２は、左右方向に一対配置されるとともに、左右一対の接地部３２が、前後方向に一対、配置されている。接地部３２は、全部で４つ設けられている。接地部３２は、縦部材４２に連結されている。
【００１８】
図６および図７に示すように、支持架台１２は、寝台１１の一部（可動ボトム）を、左右方向に延びる回動軸２６回りに回動自在に支持している。寝台装置１０は、いわゆるギャッチベッドとなっている。本実施形態では、腰ボトム２２が支持架台１２に固定され、背ボトム２１および脚ボトム２３が腰ボトム２２に回動自在に連結されている。
【００１９】
回動軸２６は、背ボトム２１と腰ボトム２２とを連結する第１回動軸２６ａと、脚ボトム２３と腰ボトム２２とを連結する第２回動軸２６ｂと、を備えている。
なお、膝ボトム２４と足ボトム２５とは、左右方向に延びる屈曲軸２７回りに回動自在に連結されている。そのため、脚ボトム２３が第２回動軸２６ｂ回りに回動して寝台装置１０が脚上げ状態となると、屈曲軸２７が突をなすように、脚ボトム２３が屈曲する。
【００２０】
なお図６から図８に示すように、脚ボトム２３には、足ステー４３が回動自在に連結されている。足ステー４３は、脚ボトム２３を足先上げ状態で保持する。足先上げ状態の脚ボトム２３では、足ボトム２５が、水平方向に平行に延びている。足ステー４３は、前後方向に延びる長尺状に形成されている。
【００２１】
足ステー４３の第１端部４３ａおよび第２端部４３ｂはそれぞれ、足ボトム２５およびメインフレーム３１それぞれに回転自在に固定されている。足ステー４３の第１端部４３ａは、足ボトム２５に実質的に離脱不能に固定されている。足ステー４３の第２端部４３ｂは、メインフレーム３１に着脱自在に固定されている。脚ボトム２３が足先上げ状態とされたときに、足ステー４３が、足ボトム２５から頭側Ｈ斜め下方に延びる。
【００２２】
図１から図４に示すように、ボード１３は、支持架台１２における前後方向の端部に配置されている。ボード１３は、表裏面が前後方向を向く板状に形成されている。ボード１３は、支持架台１２の頭側Ｈに位置するヘッドボード１３ａを備えている。ヘッドボード１３ａは、縦部材４２の頭側Ｈの端部に固定されている。
【００２３】
図４および図５に示すように、駆動機構１４は、支持架台１２に取り付けられる。駆動機構１４は、複数設けられている。複数の駆動機構１４は、寝台１１の下方に配置されている。駆動機構１４は、寝台１１および支持架台１２のうちの少なくとも一部を移動させる。駆動機構１４は、前後方向に伸縮する直動アクチュエータである。
【００２４】
駆動機構１４は、背ボトム２１を回動させる第１駆動機構１４ａと、脚ボトム２３を回動させる第２駆動機構１４ｂと、を備えている。第１駆動機構１４ａの前後方向の両端部は、メインフレーム３１、および背上リンク４４にそれぞれ取り付けられている。背上リンク４４は、背ボトム２１を下方から支持している。第１駆動機構１４ａを動作させると、背上リンク４４が回動して背ボトム２１が背上げ状態になる。
第２駆動機構１４ｂの前後方向の両端部は、メインフレーム３１、および膝上リンク４５にそれぞれ取り付けられている。膝上リンク４５は、脚ボトム２３を下方から支持している。第２駆動機構１４ｂを動作させると、膝上リンク４５が回動して脚ボトム２３が脚上げ状態になる。
【００２５】
以上で、本発明の実施形態に係る寝台装置１０の基本構成について説明した。以下では、寝台装置１０における本実施形態の特徴部分について説明する。
【００２６】
図９に示すように、第１フレーム部材３５の外側部３５ａには、貫通孔（支持部）３５ｂが設けられている。なお、ここで言う外側部３５ａとは、第１フレーム部材３５の外側の側面近傍の部分のことを意味する。後述する第２フレーム部材３６の外側部３６ａについても同様である。
貫通孔３５ｂは、ボード１３が有する後述するフットボード１３ｂを第１フレーム部材３５に固定するためのものである。貫通孔３５ｂは、第１フレーム部材３５を前後方向に貫いている。貫通孔３５ｂは、例えば上下方向に間隔を空けて一対形成されている。
図５に示すように、支持架台１２が有する外フレーム部３３は、左右方向に沿って延在する第１フレーム部材３５と、前後方向に沿って延在する一対の第２フレーム部材３６と、を有する。第１フレーム部材３５は、支持架台１２の長手方向の足側Ｆの端部に設けられている。
図３に示すように、支持架台１２は平面視して前後方向と左右方向とを有する。
【００２７】
図９に示すように、第１幕板３８は、第１フレーム部材３５を側方から覆う側板３８ａと、側板３８ａの上端部から頭側Ｈに延びる上板３８ｂと、側板３８ａの下端部から頭側Ｈに延びる下板３８ｃと、を備える。なお、ここで言う第１幕板３８とは、第１フレーム部材３５の外側部３５ａを覆う部材であって、寝台１１（支持架台１２）上にマットレスを配置したときに、マットレスよりも上方に突出しない部材のことを意味する。第２幕板３９および角幕板４０についても同様である。
上板３８ｂは、第１フレーム部材３５を上方から覆う。下板３８ｃは、第１フレーム部材３５を下方から覆う。
側板３８ａと上板３８ｂとの接続部（角部）３８ｄ、および側板３８ａと下板３８ｃとの接続部３８ｄは、丸みを帯びた形状である。上板３８ｂの下面には、第１係止爪３８ｂ１が設けられている。下板３８ｃの上面には、第１係止爪３８ｃ１が設けられている。
第１幕板３８は、押し出し成形等により製造することができる。
【００２８】
第１係止爪３８ｂ１、３８ｃ１が第１フレーム部材３５の頭側Ｈの端部に係止することで、第１フレーム部材３５の外側部３５ａに第１幕板３８が固定される。このときに、第１幕板３８の側板３８ａは、第１フレーム部材３５の貫通孔３５ｂを側方から覆う。これにより、貫通孔３５ｂが外部から見えなくなる。
一方で、第１係止爪３８ｂ１と第１係止爪３８ｃ１との間が離間するように第１幕板３８を変形させながら、第１フレーム部材３５に対して第１幕板３８を足側Ｆに引く。これにより、第１係止爪３８ｂ１、３８ｃ１と第１フレーム部材３５との係止が解除され、第１フレーム部材３５から第１幕板３８が取り外される。このときに、貫通孔３５ｂは外部に露出する。
このように、第１係止爪３８ｂ１、３８ｃ１は第１フレーム部材３５に対して着脱自在であり、第１幕板３８は、第１係止爪３８ｂ１、３８ｃ１により第１フレーム部材３５に着脱自在である。
【００２９】
第１フレーム部材３５の外側部３５ａと第１幕板３８の内側部３８ｅとの間には、スペーサ４６が介在している。なお、ここで言う内側部３８ｅとは、第１幕板３８の内側の側面近傍の部分のことを意味する。
スペーサ４６は、板状のスペーサ本体４６ａに複数のリブ４６ｂが設けられている。スペーサ本体４６ａは、表裏面が前後方向を向く板状に形成されている。複数のリブ４６ｂは、スペーサ本体４６ａの足側Ｆの面に左右方向に延びるとともに、上下方向に間隔を空けて設けられている。スペーサ４６は、押し出し成形等により製造することができる。
スペーサ本体４６ａは、第１フレーム部材３５の足側Ｆの面に接触している。複数のリブ４６ｂは、側板３８ａの頭側Ｈの面に接触している。複数のリブ４６ｂのうち、上下方向の端部のリブ４６ｂの高さ（前後方向の長さ）は、他のリブ４６ｂの高さよりも低い。
これにより、第１幕板３８の接続部３８ｄの丸みを帯びた形状に倣って各リブ４６ｂを第１幕板３８の内側部３８ｅに接触させることができる。
このように第１フレーム部材３５と第１幕板３８とを前後方向に離間させて、第１幕板３８が丸みを帯びた形状にする場合がある。この場合でも、第１フレーム部材３５と第１幕板３８との間にスペーサ４６を介在させることで、第１フレーム部材３５と第１幕板３８とがガタつかない。
なお、スペーサ４６は、寝台装置１０の必須の構成ではない。
【００３０】
第２幕板３９の長手方向となる前後方向に直交する断面形状は、第１幕板３８の長手方向となる左右方向に直交する断面形状と同一である。図５に示すように、第２幕板３９は、第２フレーム部材３６の外側部３６ａを覆う。図１０に示すように、第２幕板３９の足側Ｆの端部は、第１幕板３８の左右方向の端部と突き合わされている。
幕板３８、３９の断面形状を同一にすることで、幕板３８、３９を押し出し成形による長さ違いの部品とし、部品の製造コストを抑えることができる。
【００３１】
図５に示すように、角幕板４０は、上部板６１と、下部板６２と、側部板６３と、を備えている。上部板６１は、両幕板３８、３９の突き合わせ部を上方から覆う。下部板６２は、前記突き合わせ部を下方から覆う。上部板６１および下部板６２は、平面視において、互いに同等の形状でかつ同等の大きさの正方形状に形成されている。側部板６３は、前記突き合わせ部を側方から覆う。側部板６３は、平面視においてＬ字状に形成され、上部板６１と下部板６２とを連結する。
図５および図１０に示すように、側部板６３は、前記突き合わせ部を前後方向に覆う側部第１片６３ａと、前記突き合わせ部を左右方向に覆う側部第２片６３ｂと、側部第１片６３ａおよび側部第２片６３ｂを連結する側部連結片６３ｃと、を備えている。側部第１片６３ａは、表裏面が前後方向を向く板状に形成されている。側部第２片６３ｂは、表裏面が左右方向を向く板状に形成されている。側部連結片６３ｃは、平面視において、側部第１片６３ａと側部第２片６３ｂとの接続部を面取りした形状をなす。側部連結片６３ｃは、側部第１片６３ａから側部第２片６３ｂに向けて、頭側Ｈに延びつつ左右方向の外側に延びている。
【００３２】
なお、このような側部連結片６３ｃの形状は、スペーサ４６を設けることによって実現することができる。すなわち、スペーサ４６を設けることによって、第１フレーム部材３５の外側部３５ａと、側部板６３の側部第１片６３ａと、を前後方向に離間させることができる。そのため、側部第１片６３ａを第１幕板３８に当接させつつ、側部第２片６３ｂを第２幕板３９に当接させた状態であっても、側部連結片６３ｃを、側部第１片６３ａから側部第２片６３ｂに向けて、頭側Ｈに延びつつ左右方向の外側に延びるような形状に形成することができる。
【００３３】
図９および図１０に示すように、角幕板４０は、左右方向に直交する断面がＣ字状の第１片４８と、前後方向に直交する断面がＣ字状の第２片４９と、が一体になっているとも言える。すなわち、角幕板４０を、平面視における上部板６１および下部板６２の対角線のうち、側部連結片６３ｃを通る対角線を基準として２つに区画した部分を、それぞれ第１片４８と第２片４９と捉えることができる。第１片４８は、前記側部第１片６３ａを含む。第２片４９は、前記側部第２片６３ｂを含む。
角幕板４０には、第２係止爪５０が設けられている。第２係止爪５０は、第１片４８に左右方向に延びるように配置された第１爪片５０ａと、第２片４９に前後方向に延びるように配置された第２爪片５０ｂとを備える。第１爪片５０ａと第２爪片５０ｂとは一体となってＶ字状をなしている。
【００３４】
第１片４８は、第１幕板３８の左右方向の端部を側方から覆う。第２片４９は、第２幕板３９の足側Ｆの端部を側方から覆う。このように、角幕板４０は第１幕板３８および第２幕板３９間の突き合わせ箇所を覆う。
第１爪片５０ａが第１幕板３８の頭側Ｈの端部に係止することで、第１幕板３８に角幕板４０が固定される。第２爪片５０ｂが第２幕板３９の左右方向の端部に係止することで、第２幕板３９に角幕板４０が固定される。
一方で、Ｃ字状の第１片４８および第２片４９を開口が開くように変形させながら、幕板３８、３９に対して角幕板４０を足側Ｆかつ左右方向である斜め方向に引く。これにより、第１爪片５０ａと第１幕板３８、および第２爪片５０ｂと第２幕板３９の係止が解除され、幕板３８、３９から角幕板４０が取り外される。
このように、第２係止爪５０は第１幕板３８および第２幕板３９のそれぞれに対して着脱自在である。
【００３５】
以上のように、第１フレーム部材３５に第１幕板３８が固定された第１使用形態の寝台装置１０は、ボード１３としてヘッドボード１３ａのみを備える、いわゆるハリウッドスタイルと呼ばれる仕様になる。
駆動機構１４を動作させることで、寝台１１の背ボトム２１等の角度が変化し、背上げおよび脚上げ（膝上げ）動作が可能となる。
足ステー４３の第２端部４３ｂをメインフレーム３１から取り外すこと等により、メインフレーム３１から寝台１１を取り外すことができる。これにより、メインフレーム３１と寝台１１とを分離して搬送することができ、寝台装置１０の搬送が容易になる。
【００３６】
図１１および図１２に示すように、本実施形態の寝台装置１０は、第１幕板３８に代えてフットボード１３ｂを第１フレーム部材３５に固定することができる。
図１２に示すようにフットボード１３ｂの下端部には、例えば一対の連通孔１３ｂ１が形成されている。一対の連通孔１３ｂ１は、上下方向に間隔を空けて形成されている。
なお、ここで言うフットボード１３ｂを含むボード１３とは、寝台１１上にマットレスを配置したときに、マットレスよりも上方に向かって延在する部材のことを意味する。
【００３７】
第１フレーム部材３５から第１幕板３８を取り外した後で、第１フレーム部材３５の各貫通孔３５ｂに頭側Ｈからナット５３を挿入する。この例では、ナット５３の先端は、貫通孔３５ｂを通してフットボード１３ｂの連通孔１３ｂ１に挿入される。第１フレーム部材３５の連通孔１３ｂ１に足側Ｆからボルト５４を挿入する。各ナット５３にボルト５４を螺合させこの螺合をきつくすることで、第１フレーム部材３５にフットボード１３ｂが固定される。
このとき、フットボード１３ｂは、第１フレーム部材３５の側方、すなわち支持架台１２の足側Ｆに配置される。フットボード１３ｂは、第１フレーム部材３５よりも上方に向かって延在する。
【００３８】
以上のように、第１フレーム部材３５にフットボード１３ｂが固定された第２使用形態の寝台装置１０は、ボード１３としてヘッドボード１３ａおよびフットボード１３ｂを備える、いわゆるヨーロピアンスタイルと呼ばれる仕様になる。
なお、ナット５３とボルト５４との螺合を解除することで、第１フレーム部材３５からフットボード１３ｂが取り外される。
フットボード１３ｂを取り外した第１フレーム部材３５に、第１幕板３８を固定してもよい。
【００３９】
このように、本実施形態の寝台装置１０は、フットボード１３ｂおよび第１幕板３８の両方を備え、使用形態に応じてフットボード１３ｂまたは第１幕板３８が、第１フレーム部材３５に対して択一的に固定される。ここで言う択一的に固定されるとは、第１フレーム部材３５にフットボード１３ｂおよび第１幕板３８が同時に固定されることを意味しない。すなわち、ここで言う択一的とは、第１フレーム部材３５にフットボード１３ｂが固定されること、および、第１フレーム部材３５に第１幕板３８が固定されること、のいずれか一方を選択して行うことを意味する。
【００４０】
以上説明したように、本実施形態の寝台装置１０によれば、寝台装置１０がフットボード１３ｂを備えるヨーロピアンスタイル、および寝台装置１０がフットボード１３ｂを備えないハリウッドスタイルのいずれの仕様にも構成することができる。そして、寝台装置１０がフットボード１３ｂを備えない仕様を選択した場合には、第１フレーム部材３５の外側部３５ａを第１幕板３８で覆うことで、第１フレーム部材３５を寝台装置１０の外部から見えにくくすることができる。
【００４１】
例えば、使用者がハリウッドスタイルの寝台装置１０を購入した後で、寝台装置１０の頭側Ｈだけでなく足側Ｆにもボード１３が欲しいと思ったとする。この場合、寝台装置１０から第１幕板３８および角幕板４０を取り外して第１フレーム部材３５にフットボード１３ｂを固定するだけで、寝台装置１０を足側Ｆにフットボード１３ｂを備えるヨーロピアンスタイルにすることができる。
なお、寝台装置１０は、フットボード１３ｂ及び第１幕板３８の一方のみを備える構成であってもよい。この場合であっても、寝台１１、支持架台１２、ヘッドボード１３ａ、および駆動機構１４を共通にして、寝台装置１０のスタイルを切り替えることができ、スタイルの変更による寝台装置１０の製造コストを低減させることができる。すなわち、ハリウッドスタイルおよびヨーロピアンスタイルのいずれの寝台装置１０を製造する場合であっても、共通の支持架台１２を採用することが可能になり、生産効率の向上や不要在庫の低減を図ることができる。
【００４２】
寝台装置１０がフットボード１３ｂを備えないハリウッドスタイルの場合には、第１フレーム部材３５に第１幕板３８を固定することで第１幕板３８により貫通孔３５ｂを覆い、寝台装置１０の外観を向上させることができる。
第１幕板３８に第１係止爪３８ｂ１、３８ｃ１が設けられていることで、第１フレーム部材３５に対して第１幕板３８を着脱自在にすることができる。
【００４３】
第２幕板３９が第２フレーム部材３６の外側部３６ａを覆い、角幕板４０が幕板３８、３９間の突き合わせ箇所を覆う。このため、第１幕板３８および第２幕板３９間の突き合わせ箇所が外部に露出するのを抑制することができる。
角幕板４０に第２係止爪５０が設けられていることで、第１幕板３８および第２幕板３９のそれぞれに対して角幕板４０を着脱自在にすることができる。
スペーサ４６を介在させることで、例えば第１フレーム部材３５と第１幕板３８とを離間させて第１幕板３８の接続部３８ｄが丸みを帯びた形状にする場合にも、第１フレーム部材３５と第１幕板３８とがガタつくのを抑えることができる。
【００４４】
以上、本発明の一実施形態について図面を参照して詳述したが、本発明の技術的範囲は前記実施形態に限定されるものではなく、本発明の趣旨を逸脱しない範囲において種々の変更を加えることが可能である。
例えば、前記実施形態では、第１幕板３８は第１フレーム部材３５に着脱自在であるとしたが、第１幕板３８は第１フレーム部材３５に固定したら外れない構成でもよい。第２幕板３９、角幕板４０、フットボード１３ｂについても、第２フレーム部材３６、幕板３８、３９、第１フレーム部材３５にそれぞれ固定したら外れない構成でもよい。
【００４５】
第１フレーム部材３５に第１幕板３８を固定したときに、第１幕板３８が第１フレーム部材３５の貫通孔３５ｂを覆わないように構成してもよい。
第１幕板３８に第１係止爪３８ｂ１、３８ｃ１が設けられず、例えば第１フレーム部材３５の足側Ｆの面にＴ字状の頭部を有するリベットを設けるとともに、第１幕板にこの頭部に係合する凹溝を設けてもよい。凹溝は、第１幕板の長手方向（左右方向）に見たときにＴ字状に凹んでいる。リベットに対して第１幕板を長手方向に移動させて、第１フレーム部材３５に第１幕板を固定する。
角幕板４０についても同様に、第２係止爪５０が設けられなくてもよい。
寝台装置１０は、角幕板４０を備えなくてもよい。
【００４６】
第１幕板およびフットボードの両方が、第１フレーム部材３５に対して同時に固定されるように構成してもよい。この場合例えば、第１フレーム部材３５の下部に第１幕板を固定するとともに、第１フレーム部材３５の上部にフットボードを固定してもよい。第１幕板およびフットボードの両方が、第１フレーム部材３５に対して同時に固定されるように構成されているが、第１フレーム部材３５に第１幕板およびフットボードの一方のみを固定してもよい。
一対の第２フレーム部材３６の頭側Ｈの端部に第１フレーム部材３５を設け、この第１フレーム部材３５にヘッドボード１３ａおよび第１幕板３８が着脱自在となるように構成してもよい。この場合、寝台装置１０にヘッドボード１３ａが着脱自在になる。ヘッドボード１３ａおよびフットボード１３ｂの両方が支持架台１２に着脱自在であってもよい。
【００４７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４８】
１０  寝台装置
１２  支持架台
１３  ボード
３５  第１フレーム部材
３５ａ、３６ａ  外側部
３５ｂ  貫通孔（支持部）
３６  第２フレーム部材
３９  第２幕板
３８  第１幕板
３８ｂ１、３８ｃ１  第１係止爪
３８ｅ  内側部
４０  角幕板
４６  スペーサ
５０  第２係止爪
【図１】
2018030010.tif 000003
【図２】
2018030010.tif 000004
【図３】
2018030010.tif 000005
【図４】
2018030010.tif 000006
【図５】
2018030010.tif 000007
【図６】
2018030010.tif 000008
【図７】
2018030010.tif 000009
【図８】
2018030010.tif 000010
【図９】
2018030010.tif 000011
【図１０】
2018030010.tif 000012
【図１１】
2018030010.tif 000013
【図１２】
2018030010.tif 000014